(57)【要約】【課題】弾性表面波フィルタと誘電体フィルタとを備えつつ小型化することができるフィルタ装置を提供する。【解決手段】一方の主面に弾性表面波フィルタ用凹部空間が設けられ他方の主面に誘電積層フィルタ用凹部空間が設けられた素子搭載部材と、前記弾性表面波フィルタ用凹部空間内に設けられる弾性表面波フィルタと、前記誘電体フィルタ用凹部空間内に設けられる誘電体フィルタと、前記素子搭載部材の一方の主面と接合されて前記弾性表面波フィルタを気密封止させる蓋部材と、前記誘電体フィルタを被覆する絶縁性樹脂と、から主に構成されていることを特徴とする。【選択図】      図１
2011160021.tif 000002
【特許請求の範囲】
【請求項１】
一方の主面に弾性表面波フィルタ用凹部空間が設けられ他方の主面に誘電積層フィルタ用凹部空間が設けられた素子搭載部材と、
前記弾性表面波フィルタ用凹部空間内に設けられる弾性表面波フィルタと、
前記誘電体フィルタ用凹部空間内に設けられる誘電体フィルタと、
前記素子搭載部材の一方の主面と接合されて前記弾性表面波フィルタを気密封止させる蓋部材と、
前記誘電体フィルタを被覆する絶縁性樹脂と、
から主に構成されていることを特徴とするフィルタ装置。
【発明の詳細な説明】
【技術分野】
【０００１】
本発明は、主として無線の移動通信装置に用いられ、送信信号と受信信号とを分離するために送信信号を除去するフィルタ装置に関する。
【背景技術】
【０００２】
無線の移動通信装置の一例である携帯電話は、近年、従来の携帯電話の様に音声やデータ等の信号を送信及び受信するだけでなく、ＦＭラジオ放送用の受信用回路やテレビ放送用の受信用回路が搭載されておりＦＭラジオ放送やテレビ放送の信号を受信することができる様になってきている。
【０００３】
テレビ放送用の受信用回路は、周波数が４７０〜７７０ＭＨｚ帯のテレビ放送の信号を受信できる様になっている。
ＦＭラジオ放送用の受信用回路は、周波数が７６．０〜９０．０ＭＨｚ帯のＦＭラジオ放送の信号を受信できる様になっている。
【０００４】
つまり、このような無線の移動通信装置である携帯電話は、ＦＭラジオ放送用の受信用回路とテレビ放送用の受信用回路と音声やデータ等の信号を送受信する回路とが搭載されている。
また、携帯電話は、ＦＭラジオ放送又はテレビ放送の信号が遠方の送信アンテナから送信されてくるため、携帯電話自身が発する送信用の信号がＦＭラジオ放送又はテレビ放送の信号と比較して非常に強い状態となっている。このため、携帯電話は、携帯電話自身が発した送信信号がＦＭラジオ放送用の受信用回路又はテレビ放送用の受信用回路に混入し、ＦＭラジオ放送又はテレビ放送の信号を受信することができなくなる恐れがある。
従って、このような無線の移動通信装置である携帯電話は、音声やデータ等の信号を送受信する回路から送信された信号がＦＭラジオ放送用の受信回路又はテレビ放送用の受信回路に受信されることがない様に、フィルタ装置が設けられている。
【０００５】
フィルタ装置は、所定の周波数帯の信号を減衰させて信号を除去する役割を果たす。
ここで、音声やデータ等の送信及び受信は、一般的に、８００ＭＨｚ帯及び１．７〜２．０ＧＨｚ帯の周波数の信号が用いられている。
音声やデータ等の送信信号に８００ＭＨｚ帯の周波数帯が含まれている場合、フィルタ装置は、８００ＭＨｚ帯近傍のみを減衰させ、ＦＭラジオ放送又はテレビ放送の信号を受信することができる。この様なフィルタ装置には、例えば、信号を急激に減衰させることのできる弾性表面波フィルタが用いられる。
音声やデータ等の送信信号に１．７〜２．０ＧＨｚ帯の周波数帯が含まれている場合、フィルタ装置は、１．７〜２．０ＧＨｚ帯を減衰させ、ＦＭラジオ放送又はテレビ放送の信号を受信することができる。このようなフィルタ装置には、例えば、幅広い周波数帯を減衰させることができる誘電体フィルタが用いられる。
【０００６】
また、フィルタ装置は、８００ＭＨｚ帯及び１．７〜２．０ＧＨｚ帯に対応することができる様に、弾性表面並みフィルタ及び誘電体フィルタを無線の移動通信装置である携帯電話に搭載している（例えば、特許文献１参照）。
【先行技術文献】
【特許文献】
【０００７】
【特許文献１】特開平０７−２２６６０８号公報
【発明の概要】
【発明が解決しようとする課題】
【０００８】
従来のフィルタ装置は、８００ＭＨｚ帯及び１．７〜２．０ＧＨｚ帯に対応することができる様に、弾性表面波フィルタ及び誘電体フィルタをそれぞれ設けているので、弾性表面波フィルタ又は誘電体フィルタの分だけ搭載する面積が必要となる。
従って、従来のフィルタ装置は、弾性表面フィルタ又は誘電体フィルタの分だけ搭載面積が必要となるので小型化に対応することができない恐れがある。
【０００９】
そこで、本発明では、弾性表面波フィルタと誘電体フィルタとを備えつつ小型化することができるフィルタ装置を提供することを課題とする。
【課題を解決するための手段】
【００１０】
前記課題を解決するため、一方の主面に弾性表面波フィルタ用凹部空間が設けられ他方の主面に誘電積層フィルタ用凹部空間が設けられた素子搭載部材と、前記弾性表面波フィルタ用凹部空間内に設けられる弾性表面波フィルタと、前記誘電体フィルタ用凹部空間内に設けられる誘電体フィルタと、前記素子搭載部材の一方の主面と接合されて前記弾性表面波フィルタを気密封止させる蓋部材と、前記誘電体フィルタを被覆する絶縁性樹脂と、から主に構成されていることを特徴とする。
【発明の効果】
【００１１】
このようなフィルタ装置は、弾性表面波フィルタが素子搭載部材の弾性表面波フィルタ用凹部空間内に搭載されており、誘電体フィルタが誘電体フィルタ用凹部空間内に搭載されている。
つまり、このようなフィルタ装置は、立体的に弾性表面波フィルタと誘電体フィルタとを搭載することができるので、従来のフィルタ装置と比較して弾性表面波フィルタ、又は、誘電体フィルタのどちらか一方の搭載面積を縮小することができる。よって、このようなフィルタ装置は、従来のフィルタ装置と比較して小型化することができる。
【図面の簡単な説明】
【００１２】
【図１】本発明の実施の形態に係るフィルタ装置の一例を示す概念図である。
【発明を実施するための形態】
【００１３】
次に、本発明の実施するための最良の形態について説明する。なお、各図面において、各構成要素の状態をわかりやすくするために誇張して図示している。
【００１４】
本発明の実施形態に係るフィルタ装置について説明する。
図１に示すように、フィルタ装置１００は、弾性表面波フィルタ１１０と整合素子１５０，１５１と誘電体フィルタ１２０と素子搭載部材１３０と蓋部材１６０と絶縁性樹脂１４０とから主に構成されている。
【００１５】
弾性表面波フィルタ１１０は、例えば、タンタル酸リチウムやニオブ酸リチウムなどの圧電材料からなる圧電基板の主面に、アルミニウムや銅などの薄膜となっている櫛形電極が設けられている。
また、弾性表面波フィルタ１１０は、弾性表面波フィルタ１１０の入力端子１１０ａ及び弾性表面波フィルタ１１０の出力端子１１０ｂを備えている。
また、弾性表面波フィルタ１１０は、周波数帯が８００ＭＨｚ帯近傍の信号を減衰させる役割を果たす。また、弾性表面波フィルタ１１０は、周波数帯が８００ＭＨｚ帯近傍のみの信号を急峻に減衰させることができる。
【００１６】
整合素子１５０，１５１は、例えば、チップインダクタやコンデンサなどの部品素子が用いられる。
また、整合素子１５０，１５１は、弾性表面波フィルタ１１０と電気的に接続されることで弾性表面波フィルタ１１０が特に周波数帯８００ＭＨｚ帯近傍に於いて急峻に減衰させる役割を果たす。
【００１７】
誘電体フィルタ１２０は、例えば、チタン酸バリウム等の誘電体であるセラミックが積層させて設けられた、積層誘電体フィルタが用いられる。
また、誘電体フィルタ１２０は、誘電体フィルタ１２０の入力端子１２０ａ及び誘電体フィルタ１２０の出力端子１２０ｂを備えている。
また、誘電体フィルタ１２０は、周波数帯が１．７〜２．０ＧＨｚ帯の信号を減衰させる役割を果たす。また、誘電体フィルタ１２０は、耐電力性に優れている。
【００１８】
素子搭載部材１３０は、一方の主面に弾性表面波フィルタ用凹部空間１３１が設けられ、他方の主面に誘電体フィルタ用凹部空間１３２が設けられている。
素子搭載部材１３０は、他方の主面に素子搭載部材１３０の入力端子Ｇ１と素子搭載部材１３０の出力端子Ｇ２とが設けられている。
素子搭載部材１３０は、弾性表面フィルタ用凹部空間１３１内に弾性表面フィルタ用搭載端子Ｐ１ａ，Ｐ１ｂと整合素子用搭載端子（図示せず）が設けられており、誘電体フィルタ用凹部空間１３２の底面に誘電体フィルタ用搭載端子Ｐ２ａ，Ｐ２ｂが設けられている。
【００１９】
弾性表面波フィルタ用搭載端子Ｐ１ａ，Ｐ１ｂは、例えば、弾性表面波フィルタ用凹部空間１３１の底面に、２つ設けられている。
一方の弾性表面波フィルタ用搭載端子Ｐ１ａは、弾性表面波フィルタ１１０の入力端子１１０ａと外部配線Ｈで電気的に接続されている。
他方の弾性表面波フィルタ用搭載端子Ｐ１ｂは、弾性表面波フィルタ１１０の出力端子１１０ｂと外部配線Ｈで電気的に接続されている。
ここで、外部配線Ｈは、例えば、金ワイヤが用いられワイヤボンディング法により設けられている。なお、ここでは、外部配線がワイヤボンディング法により設けられている場合について説明しているが、電気的に接続することができれば、フリップチップボンディング法を用いて設けてもよい。
【００２０】
整合素子用搭載端子は、例えば、半田や導電性樹脂などが用いられて、整合素子１５０，１５１と電気的に接続されている。
【００２１】
誘電体フィルタ用搭載端子Ｐ２ａ，Ｐ２ｂは、例えば、誘電体フィルタ用凹部空間１３２の底面に２つ設けられている。
一方の誘電体フィルタ用搭載端子Ｐ２ａは、誘電体フィルタ１２０の入力端子１２０ａと、例えば、半田や導電性樹脂により電気的に接続されている。
他方の誘電体フィルタ用搭載端子Ｐ２ｂは、誘電体フィルタ１２０の出力端子１２０ｂと、例えば、半田や導電性樹脂により電気的に接続されている。また、他方の誘電体フィルタ用搭載端子Ｐ２ｂは、素子搭載部材１３０の内部配線Ｎを介して、一方の弾性表面波フィルタ用搭載端子Ｐ１ａと電気的に接続されている。
【００２２】
素子搭載部材１３０の入力端子Ｇ１は、素子搭載部材１３０の内部に設けられている内部配線Ｎを介して、一方の誘電体フィルタ用搭載端子Ｐ２ａと電気的に接続されている。
【００２３】
素子搭載部材１３０の出力端子Ｇ２は、素子搭載部材１３０の内部に設けられている内部配線Ｎを介して、他方の弾性表面波フィルタ用搭載端子Ｐ１ｂと電気的に接続されている。
【００２４】
素子搭載部材１３０は、弾性表面波フィルタ用凹部空間１３１内に弾性表面波フィルタ１１０及び整合素子１５０，１５１が設けられ、誘電体フィルタ用凹部空間１３２内に誘電体フィルタ１２０が設けられている。
素子搭載部材１３０は、素子搭載部材１３０の入力端子Ｇ１と一方の誘電体フィルタ用搭載端子Ｐ２ａとが電気的に接続されており、他方の誘電体フィルタ用搭載端子Ｐ２ｂと一方の弾性表面波フィルタ用搭載端子Ｐ１ａとが電気的に接続されており、他方の弾性表面波フィルタ用端子Ｐ１ｂと素子搭載部材１３０の出力端子Ｇ２とが電気的に接続されている。
【００２５】
蓋部材１６０は、例えば、矩形形状の平板状に設けられている。
また、蓋部材１６０は、素子搭載部材１３０の一方の主面と接合されて、素子搭載部材１３０の一方の主面に設けられた弾性表面波フィルタ用凹部空間１３１内に搭載されている弾性表面波フィルタ１１０及び整合素子１５０，１５１を気密封止する役割を果たす。
ここで、蓋部材１６０は、例えば、素子搭載部材１３０の一方の主面と銀ロウ材等のロウ材Ｒを用いてシームウェルド法により接合される。
【００２６】
絶縁性樹脂１４０は、素子搭載部材１３０の他方の主面に設けられている誘電体フィルタ用凹部空間１３２内に搭載されている誘電体フィルタ１２０を被覆する様に設けられる。絶縁性樹脂１４０は、誘電体フィルタ１２０を被覆する様に設けられることで、誘電体フィルタ１２０を封止する役割を果たしている。
【００２７】
フィルタ装置１００は、素子搭載部材１３０の一方の主面に設けられた弾性表面波フィルタ用凹部空間１３１内に弾性表面波フィルタ１１０と整合素子１５０，１５１が搭載された状態で素子搭載部材１３０の一方の主面と蓋部材１６０の一方の主面とがロウ材Ｒにより接合されて、弾性表面波フィルタ１１０が気密封止されている。
また、フィルタ装置１００は、素子搭載部材１３０の他方の主面に設けられた誘電体フィルタ用凹部空間１３２内に誘電体フィルタ１２０が搭載された状態で絶縁性樹脂１４０が誘電体フィルタ用凹部空間１３２内に充填され誘電体フィルタが被覆される。
また、フィルタ装置１００は、素子搭載部材１３０の入力端子Ｇ１と誘電体フィルタ１２０の入力端子１２０ａとが電気的に接続されており、誘電体フィルタ１２０の出力端子１２０ｂと弾性表面波フィルタ１１０の入力端子１１０ａとが電気的に接続されており、弾性表面波フィルタ１１０の出力端子１１０ｂと素子搭載部材１３０の出力端子Ｇ２と電気的に接続されている。
つまり、フィルタ装置１００は、素子搭載部材１３０の入力端子Ｇ１から入力された信号が誘電体フィルタ１２０及び弾性表面波フィルタ１１０を通過し変換されて素子搭載部材１３０の出力端子Ｇ２から出力される
【００２８】
このような本発明の実施形態に係るフィルタ装置１００は、弾性表面波フィルタ１１０が素子搭載部材１３０の弾性表面波フィルタ用凹部空間１３１内に搭載されており、誘電体フィルタ１２０が誘電体フィルタ用凹部空間１３２内に搭載されている。
つまり、このようなフィルタ装置１００は、立体的に弾性表面波フィルタ１１０と誘電体フィルタ１２０とを搭載することができるので、従来のフィルタ装置と比較して弾性表面波フィルタ１１０、又は、誘電体フィルタ１２０のどちらか一方の搭載面積を縮小することができる。よって、本発明の実施形態に係るフィルタ装置１００は、従来のフィルタ装置と比較して小型化することができる。
【００２９】
また、素子搭載部材１３０の入力端子Ｇ１及び出力端子Ｇ２が設けられている主面には、グラウンドと接続されるグラウンド端子を設けても良いし、弾性表面波フィルタ１１０や誘電体フィルタ１２０や整合素子１５０，１５１と接続されている外部端子を設けても良い。
【符号の説明】
【００３０】
１００  フィルタ装置
１１０  弾性表面波フィルタ
１２０  誘電体フィルタ
１３０  素子搭載部材
１３１  弾性表面波フィルタ用凹部空間
１３２  誘電体フィルタ用凹部空間
１４０  封止用樹脂
１５０，１５１  整合素子
１６０  蓋部材
１１０ａ，１２０ａ，Ｇ１  入力端子
１１０ｂ，１２０ｂ，Ｇ２  出力端子
Ｐ１ａ，Ｐ１ｂ，Ｐ２ａ，Ｐ２ｂ  搭載端子
Ｎ  内部配線
Ｈ  外部配線
Ｒ  ロウ材
【図１】
2011160021.tif 000003